(57)【要約】【課題】表示部への画像データの表示処理のパフォーマンスを落とさずにリフレッシュ動作を行うことができ、かつリフレッシュ動作による消費電力を低減することができる記憶制御装置、電子機器、および記憶制御方法を提供する。【解決手段】画像処理部１０５により画像処理が施された画像データのＤＲＡＭ１０３への書き込みおよびＤＲＡＭ１０３に記憶された画像データのパネル１０４への出力を行い、ＤＲＡＭ１０３への画像データの書き込みおよびＤＲＡＭ１０３からパネル１０４への画像データの出力が行われていないブランキング期間を検出し、ブランキング期間が検出された場合に、所定時間毎に、ＤＲＡＭ１０３のリフレッシュ動作を実行することにより、ブランキング期間検出部１０８によって検出されたブランキング期間においてリフレッシュ動作が無駄に実行されることを防止できるので、リフレッシュ動作による消費電力を低減することができる。【選択図】図１
2011128451.tif 000002
【特許請求の範囲】
【請求項１】
記憶装置への表示部に出力する画像データの書き込みおよび前記記憶装置から前記表示部への前記画像データの出力を行う制御手段と、
前記制御手段によって前記記憶装置への前記画像データの書き込みおよび前記記憶装置から前記表示部への前記画像データの出力が行われていないブランキング期間を検出する検出手段と、
前記検出手段によって前記ブランキング期間が検出された場合に、所定時間毎に、前記記憶装置に書き込まれた前記画像データを書き込みし直すリフレッシュ動作を実行する実行手段と、
を備えたことを特徴とする記憶制御装置。
【請求項２】
前記所定時間は、前記記憶装置に書き込まれた前記画像データが時間の経過に伴い消去される時間であることを特徴とする請求項１に記載の記憶制御装置。
【請求項３】
前記制御手段は、さらに、画像処理が施された前記画像データを前記記憶装置に書き込むことを特徴とする請求項１に記載の記憶制御装置。
【請求項４】
前記記憶装置がＤＲＡＭ（Dynamic  Random  Access  Memory）であることを特徴とする請求項１に記載の記憶制御装置。
【請求項５】
表示部と、
前記表示部に出力する前記画像データが書き込まれる記憶装置と、
前記記憶装置への前記画像データの書き込みおよび前記記憶装置から前記表示部への前記画像データの出力を行う制御手段と、
前記制御手段によって前記記憶装置への前記画像データの書き込みおよび前記記憶装置から前記表示部への前記画像データの出力が行われていないブランキング期間を検出する検出手段と、
前記検出手段によって前記ブランキング期間が検出された場合に、所定時間毎に、前記記憶装置に書き込まれた前記画像データを書き込みし直すリフレッシュ動作を実行する実行手段と、
を備えたことを特徴とする電子機器。
【請求項６】
記憶制御装置で実行される記憶制御方法であって、
前記記憶制御装置は、
制御手段が、記憶装置への表示部に出力する画像データの書き込みおよび前記記憶装置から前記表示部への前記画像データの出力を行う工程と、
検出手段が、前記制御手段によって前記記憶装置への前記画像データの書き込みおよび前記記憶装置から前記表示部への前記画像データの出力が行われていないブランキング期間を検出する工程と、
実行手段が、前記検出手段によって前記ブランキング期間が検出された場合に、所定時間毎に、前記記憶装置に書き込まれた前記画像データを書き込みし直すリフレッシュ動作を実行する工程と、
を含むことを特徴とする記憶制御方法。
【発明の詳細な説明】
【技術分野】
【０００１】
本発明は、記憶制御装置、電子機器、および記憶制御方法に関する。
【背景技術】
【０００２】
従来、表示部に表示する画像データを記憶保持するためのリフレッシュ動作が必要なＤＲＡＭ（Dynamic  Random  Access  Memory）などの記憶装置に対する画像データのリードライトを行うＬＳＩ（Large  Scale  Integration）は、記憶装置に対する画像データのリードライト時に定期的にリフレッシュ動作を行っていた。そのため、記憶装置に記憶された画像データを表示部に出力する際の記憶装置に対する画像データのリードライト時に無駄なリフレッシュ動作が入ってしまい、表示部への画像データの表示処理のパフォーマンスが低下していた。
【０００３】
そこで、特許文献１には、表示部に画像データが表示されないブランキング期間においてのみリフレッシュ動作を行うことにより、記憶装置に対する画像データのリードライト時に無駄なリフレッシュ動作が入ることを防止して記憶装置にメモリアクセスする性能を最大限に利用可能とすることで、表示部への画像データの表示処理のパフォーマンスを落とさずにリフレッシュ動作を行なう技術が開示されている。
【先行技術文献】
【特許文献】
【０００４】
【特許文献１】特開２００３−１５１２７０号公報
【発明の概要】
【発明が解決しようとする課題】
【０００５】
しかしながら上記特許文献１に開示された技術によれば、ブランキング期間におけるリフレッシュ動作が、当該リフレッシュ動作の要否に関わらず連続してリフレッシュ動作が実行されるため、リフレッシュ動作による消費電力が増大する、という課題がある。
【０００６】
本発明は、上記に鑑みてなされたものであって、表示部への画像データの表示処理のパフォーマンスを落とさずにリフレッシュ動作を行うことができ、かつリフレッシュ動作による消費電力を低減することができる記憶制御装置、電子機器、および記憶制御方法を提供することを目的とする。
【課題を解決するための手段】
【０００７】
上述した課題を解決し、目的を達成するために、本発明は、記憶装置への表示部に出力する画像データの書き込みおよび前記記憶装置から前記表示部への前記画像データの出力を行う制御手段と、前記制御手段によって前記記憶装置への前記画像データの書き込みおよび前記記憶装置から前記表示部への前記画像データの出力が行われていないブランキング期間を検出する検出手段と、前記検出手段によって前記ブランキング期間が検出された場合に、所定時間毎に、前記記憶装置に書き込まれた前記画像データを書き込みし直すリフレッシュ動作を実行する実行手段と、を備えたことを特徴とする。
【０００８】
また、本発明は、表示部と、前記表示部に出力する前記画像データが書き込まれる記憶装置と、前記記憶装置への前記画像データの書き込みおよび前記記憶装置から前記表示部への前記画像データの出力を行う制御手段と、前記制御手段によって前記記憶装置への前記画像データの書き込みおよび前記記憶装置から前記表示部への前記画像データの出力が行われていないブランキング期間を検出する検出手段と、前記検出手段によって前記ブランキング期間が検出された場合に、所定時間毎に、前記記憶装置に書き込まれた前記画像データを書き込みし直すリフレッシュ動作を実行する実行手段と、を備えたことを特徴とする。
【０００９】
また、本発明は、記憶制御装置で実行される記憶制御方法であって、前記記憶制御装置は、制御手段が、記憶装置への表示部に出力する画像データの書き込みおよび前記記憶装置から前記表示部への前記画像データの出力を行う工程と、検出手段が、前記制御手段によって前記記憶装置への前記画像データの書き込みおよび前記記憶装置から前記表示部への前記画像データの出力が行われていないブランキング期間を検出する工程と、実行手段が、前記検出手段によって前記ブランキング期間が検出された場合に、所定時間毎に、前記記憶装置に書き込まれた前記画像データを書き込みし直すリフレッシュ動作を実行する工程と、を含むことを特徴とする。
【発明の効果】
【００１０】
本発明によれば、表示部への画像データの表示処理のパフォーマンスを落とさずにリフレッシュ動作を行うことができ、かつリフレッシュ動作による消費電力を低減することができる、という効果を奏する。
【図面の簡単な説明】
【００１１】
【図１】図１は、本実施の形態にかかるテレビジョン装置の構成を示すブロック図である。
【図２】図２は、パネルに出力する画像データの出力タイミングを示す図である。
【図３】図３は、リフレッシュ動作の実行タイミングを示す図である。
【図４】図４は、リフレッシュ動作の実行処理の流れを示すフローチャートである。
【発明を実施するための形態】
【００１２】
以下に添付図面を参照して、この発明にかかる記憶制御装置、電子機器、および記憶制御方法の最良な実施の形態を詳細に説明する。なお、本実施の形態では、この発明にかかる記憶制御装置をテレビジョン装置に適用した例について説明するが、これに限定するものではなく、他の電子機器にも適用することができる。
【００１３】
図１は、本実施の形態にかかるテレビジョン装置の構成を示すブロック図である。本実施の形態にかかるテレビジョン装置１００は、図１に示すように、デジタル放送受信用デコーダＬＳＩ１０１、テレビシステムＬＳＩ１０２、ＤＲＡＭ１０３、パネル１０４などを備えている。
【００１４】
パネル１０４（表示部）は、例えば液晶ディスプレイやプラズマディスプレイ等のフラットパネルディスプレイからなり、画像データを表示するものである。
【００１５】
ＤＲＡＭ（Dynamic  Random  Access  Memory）１０３（記憶装置）は、パネル１０４に出力する画像データが書き込まれるものである。また、ＤＲＡＭ１０３は、書き込まれた画像データが時間の経過に伴い消去されることを防ぐために、書き込まれた画像データを書き込みし直すリフレッシュ動作が実行される。なお、本実施の形態では、記憶装置としてＤＲＡＭ１０３を用いているが、リフレッシュ動作が必要な記憶装置であれば、これに限定するものではない。例えば、ＤＤＲ２（Double  Data  Rate2）  ＳＤＲＡＭ（Synchronous  Dynamic  Random  Access  Memory）などを用いても良い。
【００１６】
デジタル放送受信用デコーダＬＳＩ（Large  Scale  Integration）１０１は、図示しないチューナ部から出力されたデジタルテレビジョン放送信号に対して、エラー訂正処理、スクランブル解除処理、およびＴＳパケット変換処理を施し、変換されたパケットの中から映像信号のパケット（画像データ）を分離するＴＳＤｅｍｕｘ（Transport  Stream  De-multiplex）や、ＴＳＤｅｍｕｘから入力された画像データを、例えばＭＰＥＧ（Moving  Picture  Experts  Group）圧縮符号化処理等の圧縮符号化処理に対応したデコード処理を施すＡＶデコーダなどを備える。
【００１７】
テレビシステムＬＳＩ１０２は、デジタル放送受信用デコーダＬＳＩ１０１においてデコード処理が施された画像データに対して、低解像度の画像データから本来の画素値を推定して画素を増やすことにより、高解像度の画像データを復元することで、画像データの鮮鋭度を維持しつつ高解像度化を実現する超解像度変換（超解像度変換処理）などの画像処理を施す画像処理部１０５や、メモリ制御部１０６（記憶制御装置）などを備える。
【００１８】
メモリ制御部１０６は、制御部１０７、ブランキング期間検出部１０８、およびタイマ１０９などを備えている。
【００１９】
制御部１０７は、画像処理部１０５により画像処理が施された画像データ（パネル１０４に出力する画像データ）のＤＲＡＭ１０３への書き込みおよびＤＲＡＭ１０３からパネル１０４への画像データの出力を行うものである。
【００２０】
ブランキング期間検出部１０８は、制御部１０７によってＤＲＡＭ１０３への画像データの書き込みおよびＤＲＡＭ１０３からパネル１０４への画像データの出力が行われていないブランキング期間（ブランキング期間開始およびブランキング期間終了）を検出するものである。
【００２１】
例えば、ブランキング期間検出部１０８は、制御部１０７によってＤＲＡＭ１０３への画像データの書き込みおよびＤＲＡＭ１０３からパネル１０４への画像データの出力が行われない垂直ブランキング期間または水平ブランキング期間を検出する。
【００２２】
ここで、図２を用いて、パネル１０４に出力する画像データの出力タイミングについて説明する。図２は、パネルに出力する画像データの出力タイミングを示す図である。図２に示すように、水平有効期間２０１は、パネル１０４の１水平ラインの画像データを出力するための期間（ピクセル数）である。例えば、解像度が１９２０×１０８０の場合、水平有効期間２０１は、１９２０ピクセルに固定される。そして、水平ブランキング期間２０２は、次の水平ラインの画像データを出力するために準備を行う期間であり、当該期間は必要に応じてある程度変更できる。
【００２３】
また、垂直有効期間２０３は、パネル１０４の一画面の画像データを出力するための期間（ライン数）である。例えば、解像度が１９２０×１０８０の場合、垂直有効期間２０３は、１０８０ラインに固定される。一方、垂直ブランキング期間２０４は、次の画面の画像データを出力するために準備を行う期間であり、当該期間は必要に応じてある程度変更できる。
【００２４】
なお、ブランキング期間検出部１０８は、ＤＲＡＭ１０３への画像データの書き込みが行われずにＤＲＡＭ１０３からパネル１０４への画像データの出力が行われている期間を（つまり、デジタル放送受信用デコーダ１０１から画像データが入力されない期間）、ブランキング期間として検出するようにしても良い。これにより、デジタル放送受信用デコーダ１０１から画像データが入力されなかった場合でも、ＤＲＡＭ１０３に書き込まれた画像データが消去されることを防止できるので、同一の画像データをパネル１０４に出力し続けることができる。
【００２５】
また、ブランキング期間検出部１０８は、画像処理部１０５によって画像処理が施された画像データのＤＲＡＭ１０３への書き込みおよびＤＲＡＭ１０３からパネル１０４へ画像データの出力などのメモリアクセスが行われている期間を画像処理用アクセス期間として検出するものとする。
【００２６】
タイマ１０９は、ブランキング期間検出部１０８によってブランキング期間が検出された場合に、所定時間毎に、ＤＲＡＭ１０３のリフレッシュ動作を実行するものである。これにより、ＤＲＡＭ１０３への画像データの書き込みおよびＤＲＡＭ１０３からパネル１０４への画像データの出力が行われている際にリフレッシュ動作が実行されることを防止してＤＲＡＭ１０３にメモリアクセスする性能を最大限に利用可能とすることで、パネル１０４への画像データの表示処理のパフォーマンスを向上させることができる。また、ブランキング期間検出部１０８によって検出されたブランキング期間においてリフレッシュ動作が無駄に実行されることを防止できるので、リフレッシュ動作による消費電力を低減することができる。
【００２７】
ここで、所定時間とは、ＤＲＡＭ１０３の仕様により定められた時間であり、より具体的には、ＤＲＡＭ１０３に書き込まれた画像データが時間の経過に伴い消去される時間であることが好ましい。これにより、ブランキング期間中に行われるリフレッシュ動作を最小限に抑えることを防止できるので、ＤＲＡＭ１０３のリフレッシュ動作による消費電力をより低減することができる。
【００２８】
図３は、リフレッシュ動作の実行タイミングを示す図である。図３に示すように、ブランキング期間検出部１０８は、画像処理部１０５によって画像処理が施された画像データのＤＲＡＭ１０３への書き込みおよびＤＲＡＭ１０３からパネル１０４への画像データの出力などのメモリアクセスが行われている画像処理用アクセス期間を検出する。そして、タイマ１０９は、ブランキング期間検出部１０８によって画像処理用アクセス期間が検出されている間、ＤＲＡＭ１０３のリフレッシュ動作を行わずに待機する。
【００２９】
そして、画像処理部１０５によって画像処理が施された画像データのＤＲＡＭ１０３への書き込みおよびＤＲＡＭ１０３からパネル１０４への画像データの出力などのメモリアクセスが終了し、ブランキング期間検出部１０８によってブランキング期間開始Ａが検出されると、タイマ１０９は、所定時間をカウントしてリフレッシュ動作の実行をウェイトし、所定時間カウントする度に、ＤＲＡＭ１０３のリフレッシュ動作を実行する。
【００３０】
次いで、画像処理部１０５によって画像処理が施された画像データのＤＲＡＭ１０３への書き込みおよびＤＲＡＭ１０３からパネル１０４への画像データの出力などのメモリアクセスが開始され、ブランキング期間検出部１０８によってブランキング期間終了Ｂが検出されると、タイマ１０９は、再び、ブランキング期間検出部１０８によって画像処理用アクセス期間が検出されている間、ＤＲＡＭ１０３のリフレッシュ動作を行わずに待機する。
【００３１】
図４は、リフレッシュ動作の実行処理の流れを示すフローチャートである。まず、デジタル放送受信用デコーダＬＳＩ１０１から画像データが入力されている間、制御部１０７は、画像処理部１０５により画像処理が行われた画像データのＤＲＡＭ１０３への書き込みおよびＤＲＡＭ１０３からパネル１０４への画像データの出力を行う（ステップＳ４０１）。
【００３２】
そして、ブランキング期間検出部１０８は、制御部１０７によって画像処理部１０５により画像処理が行われた画像データのＤＲＡＭ１０３への書き込みおよびＤＲＡＭ１０３からパネル１０４への画像データの出力が行われている期間を、画像処理用アクセス期間として検出する（ステップＳ４０２）。
【００３３】
さらに、ブランキング期間検出部１０８は、画像処理用アクセス期間の終了を検出するとともに、ブランキング期間開始を検出する（ステップＳ４０３：Ｙｅｓ）。すると、タイマ１０９は、所定時間のカウントを開始する（ステップＳ４０４）。
【００３４】
そして、タイマ１０９は、所定時間をカウントすると（ステップＳ４０５：Ｙｅｓ）、ＤＲＡＭ１０３のリフレッシュ動作を実行する（ステップＳ４０６）。タイマ１０９は、ブランキング期間検出部１０８によってブランキング期間終了が検出されるまで（ステップＳ４０７：Ｎｏ）、所定時間のカウントおよびリフレッシュ動作の実行を繰り返す。
【００３５】
次いで、ブランキング期間検出部１０８によってブランキング期間終了が検出されると（ステップＳ４０７：Ｙｅｓ）、タイマ１０９が所定時間のカウントおよびリフレッシュ動作の実行を停止するとともに、制御部１０７が、再び、画像処理部１０５により画像処理が行われた画像データのＤＲＡＭ１０３への書き込みおよびＤＲＡＭ１０３からパネル１０４への画像データの出力を行う（ステップＳ４０１）。
【００３６】
このように本実施の形態にかかるテレビジョン装置１００によれば、画像処理部１０５により画像処理が施された画像データのＤＲＡＭ１０３への書き込みおよびＤＲＡＭ１０３からパネル１０４への画像データの出力を行い、ＤＲＡＭ１０３への画像データの書き込みおよびＤＲＡＭ１０３からパネル１０４への画像データの出力が行われていないブランキング期間を検出し、ブランキング期間が検出された場合に、所定時間毎に、ＤＲＡＭ１０３のリフレッシュ動作を実行することにより、ＤＲＡＭ１０３への画像データの書き込みおよびＤＲＡＭ１０３からパネル１０４への画像データの出力が行われている際にリフレッシュ動作が実行されることを防止してＤＲＡＭ１０３にメモリアクセスする性能を最大限に利用可能とすることで、パネル１０３への画像データの表示処理のパフォーマンスを向上させることができる。また、ブランキング期間検出部１０８によって検出されたブランキング期間においてリフレッシュ動作が無駄に実行されることを防止できるので、リフレッシュ動作による消費電力を低減することができる。
【符号の説明】
【００３７】
１００  テレビジョン装置
１０２  テレビシステムＬＳＩ
１０３  ＤＲＡＭ
１０４  パネル
１０５  画像処理部
１０６  メモリ制御部
１０７  制御部
１０８  ブランキング期間検出部
１０９  タイマ
【図１】
2011128451.tif 000003
【図２】
2011128451.tif 000004
【図３】
2011128451.tif 000005
【図４】
2011128451.tif 000006
【手続補正書】
【提出日】平成23年2月14日(2011.2.14)
【手続補正１】
【補正対象書類名】明細書
【補正対象項目名】０００７
【補正方法】変更
【補正の内容】
【０００７】
上述した課題を解決し、目的を達成するために、本発明は、記憶装置への表示部に出力する画像データの書き込みおよび前記記憶装置から前記表示部への前記画像データの出力を行う制御手段と、前記制御手段によって前記記憶装置への前記画像データの書き込みが行われておらず、かつ前記記憶装置から前記表示部への前記画像データの出力が行われているブランキング期間を検出する検出手段と、前記検出手段によって前記ブランキング期間が検出された場合に、所定時間毎に、前記記憶装置に書き込まれた前記画像データを書き込みし直すリフレッシュ動作を実行する実行手段と、を備えたことを特徴とする。
【手続補正２】
【補正対象書類名】明細書
【補正対象項目名】０００８
【補正方法】変更
【補正の内容】
【０００８】
また、本発明は、表示部と、前記表示部に出力する前記画像データが書き込まれる記憶装置と、前記記憶装置への前記画像データの書き込みおよび前記記憶装置から前記表示部への前記画像データの出力を行う制御手段と、前記制御手段によって前記記憶装置への前記画像データの書き込みが行われておらず、かつ前記記憶装置から前記表示部への前記画像データの出力が行われているブランキング期間を検出する検出手段と、前記検出手段によって前記ブランキング期間が検出された場合に、所定時間毎に、前記記憶装置に書き込まれた前記画像データを書き込みし直すリフレッシュ動作を実行する実行手段と、を備えたことを特徴とする。
【手続補正３】
【補正対象書類名】明細書
【補正対象項目名】０００９
【補正方法】変更
【補正の内容】
【０００９】
また、本発明は、記憶制御装置で実行される記憶制御方法であって、前記記憶制御装置は、制御手段が、記憶装置への表示部に出力する画像データの書き込みおよび前記記憶装置から前記表示部への前記画像データの出力を行う工程と、検出手段が、前記制御手段によって前記記憶装置への前記画像データの書き込みが行われておらず、かつ前記記憶装置から前記表示部への前記画像データの出力が行われているブランキング期間を検出する工程と、実行手段が、前記検出手段によって前記ブランキング期間が検出された場合に、所定時間毎に、前記記憶装置に書き込まれた前記画像データを書き込みし直すリフレッシュ動作を実行する工程と、を含むことを特徴とする。
【手続補正４】
【補正対象書類名】特許請求の範囲
【補正対象項目名】全文
【補正方法】変更
【補正の内容】
【特許請求の範囲】
【請求項１】
記憶装置への表示部に出力する画像データの書き込みおよび前記記憶装置から前記表示部への前記画像データの出力を行う制御手段と、
前記制御手段によって前記記憶装置への前記画像データの書き込みが行われておらず、かつ前記記憶装置から前記表示部への前記画像データの出力が行われているブランキング期間を検出する検出手段と、
前記検出手段によって前記ブランキング期間が検出された場合に、所定時間毎に、前記記憶装置に書き込まれた前記画像データを書き込みし直すリフレッシュ動作を実行する実行手段と、
を備えたことを特徴とする記憶制御装置。
【請求項２】
前記所定時間は、前記記憶装置に書き込まれた前記画像データが時間の経過に伴い消去される時間以内の時間であることを特徴とする請求項１に記載の記憶制御装置。
【請求項３】
前記制御手段は、さらに、画像処理が施された前記画像データを前記記憶装置に書き込むことを特徴とする請求項１に記載の記憶制御装置。
【請求項４】
前記記憶装置がＤＲＡＭ（Dynamic  Random  Access  Memory）であることを特徴とする請求項１に記載の記憶制御装置。
【請求項５】
表示部と、
前記表示部に出力する前記画像データが書き込まれる記憶装置と、
前記記憶装置への前記画像データの書き込みおよび前記記憶装置から前記表示部への前記画像データの出力を行う制御手段と、
前記制御手段によって前記記憶装置への前記画像データの書き込みが行われておらず、かつ前記記憶装置から前記表示部への前記画像データの出力が行われているブランキング期間を検出する検出手段と、
前記検出手段によって前記ブランキング期間が検出された場合に、所定時間毎に、前記記憶装置に書き込まれた前記画像データを書き込みし直すリフレッシュ動作を実行する実行手段と、
を備えたことを特徴とする電子機器。
【請求項６】
記憶制御装置で実行される記憶制御方法であって、
前記記憶制御装置は、
制御手段が、記憶装置への表示部に出力する画像データの書き込みおよび前記記憶装置から前記表示部への前記画像データの出力を行う工程と、
検出手段が、前記制御手段によって前記記憶装置への前記画像データの書き込みが行われておらず、かつ前記記憶装置から前記表示部への前記画像データの出力が行われているブランキング期間を検出する工程と、
実行手段が、前記検出手段によって前記ブランキング期間が検出された場合に、所定時間毎に、前記記憶装置に書き込まれた前記画像データを書き込みし直すリフレッシュ動作を実行する工程と、
を含むことを特徴とする記憶制御方法。